Podtech/llm-jp-corpus-v4-ja_patent huggingface dataset:
(57)【要約】【課題】  地中に植え付けた球根の掘り上げに際して、球根の所在を見失ってしまうことと、球根および周囲の植物の根を傷つけてしまうこととを防ぐと同時に、球根の植え付け後の根の伸張および水分・養分の浸透性を確保することができる球根植付用資材を提供する。【解決手段】  側面および底面に球根が通り抜けない程度の大きさの多数の穴または網目を有することを特徴とする球根植付用資材である。【選択図】  図１
2005341954.tif 000002
【特許請求の範囲】
【請求項１】
側面および底面に根の伸張および水分・養分の浸透のための穴をあけた球根植付用資材。
【発明の詳細な説明】
【技術分野】
【０００１】  この発明は、地中に植え付けた球根の掘り上げに際して、球根の所在を見失ってしまうことと、周囲の植物の根を傷つけてしまうことを防ぐと同時に、球根の植え付け後の根の伸張および水分・養分の浸透性を確保するために、側面および底面に穴をあけた球根植付用資材に関するものである。
【背景技術】
【０００２】  従来、底面あるいは底面付近の側面に排水のための穴をあけた育苗用ポットおよび植木鉢が存在していた。また、地中の水分・養分の浸透性を確保するために不職布で構成されたポットが存在していた。
【発明の開示】
【発明が解決しようとする課題】
【０００３】  これには、次のような問題点があった。
（イ）底面あるいは底面付近の側面に排水のための穴をあけた育苗用ポットまたは植木鉢にて生育する植物を、このポットまたは植木鉢ごと地中へ植え付けても、根の伸張や周囲の土中からの水分・養分の浸透が、十分に行えないため、十分な生育ができなかった。
（ロ）不織布で構成されたポットにて生育する植物を、このポットごと地中へ植え付けても、根の伸張がこのポット内に制限されるため、十分な生育ができなかった。
（ハ）これらの事情から、球根を地植えする場合には、球根を直に地中へ植え付けざるを得ず、貯蔵あるいは分球等のために球根を掘り上げる際に、球根を見付けられないこと、傷つけてしまうこと、あるいは周囲の植物を傷つけてしまうことがあった。
本発明は、これらの問題点を解決するためになされたものである。
【課題を解決するための手段】
【０００４】  （イ）天井部が開放された球根植付用資材の側面および底面に、球根が通り抜けない程度の大きさの穴を多数あける。
（ロ）または、天井部が開放された球根植付用資材の側面および底面を、球根が通り抜けない程度の大きさの網目の網状のもので構成する。
以上を特徴とする球根植付用資材である。
【発明の効果】
【０００５】  球根植物の多くは、分球を行うため、または過剰な密集状態を解消するため、あるいは暑さや寒さを避けて貯蔵するために、毎年あるいは数年おきに、休眠期に掘り上げて、活動期前に植え付け直さなくてはならない。球根を直に地中に植えている場合、この掘り上げの際に、球根の所在を見失ってしまったり、球根を傷つけてしまったり、周囲の植物を傷つけてしまったりということが多かったが、本発明の球根植付用資材に球根を入れて地中へ植え付けておけば、球根の所在を容易に発見することができるとともに、球根を傷つけてしまうことや周囲の植物の根を傷つけてしまうことも少なくなる。なお、球根の堀り上げは休眠期に行うため、球根植付用資材の外側に伸張した球根の根が断裂することには不都合が無い。また、本発明の球根植付用資材には側面および底面に穴または網目を有していることから、球根植付用資材の外に向けての根の伸張が十分に可能であり、さらに地中の水分・養分のポット内への浸透性が確保されているため、球根植物の生育を妨げることが無い。
【発明を実施するための最良の形態】
【０００６】  以下、本発明の実施の形態について説明する。
（イ）まず、植え付けにおいては、球根が活動期に入る前に、予め深く耕した地中に球根植付用資材が埋められる程度の大きさの穴をつくり、その中に球根植付用資材を入れる。球根植付用資材の底に土を入れ、その上に球根を置き、球根の上に土を被せる。この際、球根の子球ができる位置はその種類によって親球の横・上・下というように分かれることや、一般的に、球根は球根の縦径の３倍の深さに植え付けるのが望ましいとされていることなどを考慮して、球根植付用資材の大きさおよび植え付けの深さ、さらに球根植付用資材内での球根の位置を調節することが望ましい。球根植付用資材内の球根には、地中の水分・養分が側面および底面の穴または網目を通して供給されるため、球根を直に地中に植え付けた状態とほぼ同等の健全な初期成育が可能である。球根の根はポットの側面および底面の穴を通じて、広い範囲に伸張し、地中の水分・養分を十分に吸収するので、この時点においても、球根を直に地中に植え付けた状態とほぼ同等の健全な成長が可能である。やがて、球根そのものが球根植付用資材の中で十分に肥大あるいは分球したころに、球根植物の地上部は枯れて活動期を終え休眠期を迎える。休眠期に入ったところで、球根を掘り上げるが、球根は球根植付用資材の中にあるので、球根を見失ってしまうことや球根を傷つけてしまうことがない。また、球根植付用資材ごと掘りあげれば、周囲に植えられている植物を傷つけてしまうことが少ない。球根植付資材ごと掘り上げた球根は、球根植付資材から取り出して分球や貯蔵を行ってもよいし、種類によっては球根植付資材ごと乾燥貯蔵することも可能である。
（ロ）掘り上げおよび植え付けの時期や頻度が異なる球根も、種類毎に分けて、それぞれ球根植付資材に植え付けすれば、他の植物の生育を妨げることなく、掘り上げおよび植え付けができるため、地植えあるいは大型コンテナでの寄せ植えに最適である。
（ハ）植付面を広くした球根植付用資材を用いれば、球根の郡植を行っても、掘り上げを簡単かつ確実に行うことができる。また、この球根植付用資材をプラグトレー状に構成すれば、簡単に一定間隔での球根の植え付けができ、掘り上げも簡単かつ確実に行うことができる。この球根植付資材を水平面に細長い筒状に構成すれば、簡単に球根の列植が行え、掘り上げも簡単かつ確実に行うことができる。
（ニ）市販の育苗用ポリポットと同じ大きさの球根植付資材の内側に重ねて、その中に球根を入れて成育させれば、これを入手した後、外側の育苗用ポリポットを外してそのまま地植えにすることができる。
（ホ）縁部分に装飾を施した構成にして、縁部分を地上に出すようにしてこの球根植付用資材を地中に埋めれば、花壇と同じような印象を与えることもできる。
【図面の簡単な説明】
【０００７】
【図１】  本発明を斜め下方より見た斜視図
【符号の説明】
【０００８】      １    側面
２    底面
３    穴
【図１】
2005341954.tif 000003
(57)【要約】【課題】本願発明は、壁面に設置し、土壌の保全ができると共に風の影響を受けない緑化具の提案にある。【解決手段】本発明は、土壌を充填するためのプランター部と植物を保護するための保護具部からなり、前記プランター部と保護具部は壁面に対する取り付け部が設けられるとともに、一体的に結合あるいは間隔を空けて接続可能とされ、保護具部は保護具部と壁面とでもしくは保護具部単独で植物を覆う形状とされ、前記保護具部表面には植物の枝葉が延出可能な孔が設けた壁面緑化具である。植物に対する風の影響を防止するため植物本体を枝葉が延出できる孔を有する保護具部を設けた。【選択図】図1
2005341906.tif 000002
【特許請求の範囲】
【請求項１】
土壌を充填するためのプランター部と植物を保護するための保護具部からなり、前記プランター部と保護具部は壁面に対する取り付け部が設けられるとともに、一体的に結合あるいは間隔を空けて接続可能とされ、保護具部は保護具部と壁面とでもしくは保護具部単独で植物を覆う形状とされ、前記保護具部表面には植物の枝葉が延出可能な孔が設けられたことを特徴とする壁面緑化具。
【発明の詳細な説明】
【技術分野】
【０００１】
本発明は、壁面特に建物の壁面を緑化するための壁面緑化技術に属する。
【背景技術】
【０００２】
壁面を緑化した壁面緑化物は、フェンスに絡ませたつた類、図４に示したように、特許公開2002-327440、特許公開2002-330631に開示されたように植物を根付かせた人工の緑化盤を壁に垂直に懸架したもの、垂直に懸架した繊維マットに植物を育成させあるいは植物の茎や枝を格子に結束したもの、あるいは棚に並べた植木箱等がある。あるいは多孔質の壁にこけ、シダ類を育成したものが知られている。
【０００３】
これら壁面緑化物は、特に垂直に懸架した繊維マットや多孔質の壁では、植生が生育するに充分な土壌が供給できないため、また土壌の保全が困難なため利用できる植物が制限される等の問題点がある。また風の影響をまともに受けるため、樹木など育てることが困難であった。
【０００４】
【特許文献１】特許公開2002-327440
【特許文献２】特許公開2002-330631
【発明の開示】
【発明が解決しようとする課題】
【０００５】
本願発明は、壁面に設置し、土壌の保全ができると共に風の影響を受けない緑化具の提案にある。
【課題を解決するための手段】
【０００６】
本発明は、土壌を充填するためのプランター部と植物を保護するための保護具部からなり、前記プランター部と保護具部は壁面に対する取り付け部が設けられるとともに、一体的に結合あるいは間隔を空けて接続可能とされ、保護具部は保護具部と壁面とで、もしくは保護具部単独で植物を覆う形状とされ、前記保護具部表面には植物の枝葉が延出可能な孔が設けられた壁面緑化具である。植物に対する風の影響を防止するため植物本体を枝葉が延出できる孔を有する保護具部を設けた。
【発明の効果】
【０００７】
緑化具に育成された植物の本体を覆う保護具の表面に孔が設けられているため、植物の枝葉はその穴から延出し緑を供給すると共に、本体部が覆われるため風の影響を受けることがない。
距離のある垂直の壁面でも、短期間に壁面全体の緑化が可能となる。
【発明を実施するための最良の形態】
【０００８】
以下本発明を図によって、より詳細に説明する。
図１は、本発明の壁面緑化具の概念図である。図に示すように、本壁面緑化具は上下2つに区分され、下部が土壌を充填するプランター部で上部がプランター部に植えられた樹木を保護する保護具部である。図ではプランター部と保護具部は一体的に形成されているが別々に設けられても何らさしつかえがない。保護具部は樹木の枝葉が延出できるようその表面に複数の孔が設けられている。孔の大きさ数およびその分布は育てる植物の性質により適宜変更することができる。図では、プランター部、保護具部とも壁面を利用することでそれぞれ容器状もしくは筒状となっているが、壁面の汚れ防止などの理由からプランター部、保護具部ともに、それぞれ容器状とし筒状もしくは半筒状としておくこともできる。
図には示していないが、保護具部の縁部には壁面に取り付けるためのボルト孔など設けてある。あるいは壁面に垂直あるいは水平に設けた鋼製の帯材などにボルトあるいは懸架装置を用いて固定することでもよい。
【０００９】
図２は、本壁面緑化具に樹木を植えた状態を示している。植物の幹部分を保護具部内に成長させるとその枝葉は保護具部に設けた孔から延出し壁面にみどりを提供する。風の強いときでも幹部が保護具によって揺れることがないので樹木が倒れたりすることがない。樹木が育った状態で壁面に設置すれば壁面全体の緑化が短時間で達成でき、従来のつたなどが下から上に育つ時間が短縮できる。
【００１０】
図３は、本壁面緑化具を建物の壁面に配置した状態を示している。樹木は表示されていない。窓と窓の間に本壁面緑化具を配置することで、窓をのぞく壁面全体を緑化することができる。図に示すように、建物の横方向および縦方向では本壁面緑化具の形状を変えることができる。
【００１１】
本壁面緑化具の材質は樹脂、ステンレススチール、アルミニウムなどが使用可能であるが長期使用の観点からは、金属製がその強度耐久性を考慮すると好ましい。
【図面の簡単な説明】
【００１２】
【図１】は、 本発明の壁面緑化具を示す概念図である。
【図２】は、本発明の壁面緑化具に樹木を植え成長させた状態を示す概念図である。
【図３】は、本発明の壁面緑化具を壁面に取り付けた状態を示す概念図である。
【図４】は、 従来の壁面緑化を示す概念図である。
【符号の説明】
【００１３】
１  壁面緑化具
２  プランター部
３  保護具部
４  孔
５  取り付け部
【図１】
2005341906.tif 000003
【図２】
2005341906.tif 000004
【図３】
2005341906.tif 000005
【図４】
2005341906.tif 000006
(57)【要約】【課題】現在の手法として、タイル等板状固定物に固定した水草類は底面に配置する方法しか無いので、底面積以上の配置をすることが出来ない。【解決手段】保持具を使い、水槽内壁面を利用して、タイル等板状固定物へ固定した水草類を底面積以上配置する。【選択図】図１
2005341940.tif 000002
【特許請求の範囲】
【請求項１】
タイル等、板状固定物に固定した水草類を水槽内壁面に吊すことを特徴とする保持具。
【発明の詳細な説明】
【技術分野】
【０００１】この発明は観賞用水槽におけるタイル等、板状固定物に固定した水草類保持具の構造に関するものである。
【背景技術】
【０００２】従来、タイル等、板状固定物に固定した水草類は水槽底面に配置する方法である。
【発明の開示】
【発明が解決しようとする課題】
【０００３】しかしながら、以上の方法によれば、底面積以上の配置をすることが出来ない。そこで、本発明は底面積以上の配置が出来る保持具を提供することを課題とする。
【発明が解決するための手段】
【０００４】以上の課題を解決するために、本発明は、水槽内壁面を利用し、タイル等、板状固定物へ固定した水草類を配置することを特徴とする保持具である。
【発明の効果】
【０００５】本発明によれば水槽内壁面にタイル等、板状固定物へ固定した水草類を配置でき、底面積以上の配置が出来る。
【発明を実施するための最良の形態】
【０００６】この発明の一実施形態を図１に示す。保持具本体は水中にて使用のため、腐食の少ないステンレス、もしくは水より比重の重い樹脂を使用。形状は、はしご形状となる。【０００７】タイル等、板状固定物の数に合わせ支柱連結部（２）からＬ状になるステンレス製の腕（３）が二本伸び、タイル等、板状固定物（４）を下から抱くように保持する【０００８】保持具下部には吸盤等（５）を用いて水槽壁面に固定、保持具本体の揺れ等を防止し、タイル等、板状固定物（４）の落下を防ぐ。【０００９】図２に示すように支柱（１）上部を曲げ、水槽上部縁に掛ける。また、曲げ長さを変化させる事により、保持具本体の水槽内壁面の高さを調整する事もできる。【００１０】さらに、Ｌ型腕（３）を曲げ、角度を付けることにより、タイル等、板状固定物の垂直度を変化させる事も出来る。【００１１】また支柱（１）の長さや支柱連結部（２）及び固定物保持Ｌ型腕（３）の数や長さを変えることにより水槽の大小及び、タイル等、板状固定物のサイズを問わず作成可能となる。
【実施形態の効果】
【００１２】この実施形態によれば、前面ガラス面以外の壁面へタイル等、板状固定物に固定した水草類を底面積以上配置出来る。また、タイル等、板状固定物を任意の垂直度に出来るため、変化に富んだ配置も可能になる。
【図面の簡単な説明】
【００１３】
【図１】この発明の実施形態を示す斜視図である。
【図２】この発明の取り付け時斜視図である。
【符号の説明】
（１）支柱
（２）支柱連結部
（３）固定物保持Ｌ型腕
（４）板状固定物
（５）吸盤等
（６）水槽壁面
【図１】
2005341940.tif 000003
【図２】
2005341940.tif 000004
(57)【要約】      （修正有）【課題】茎蔓などを簡単に支柱に誘引支持できる支持バンドを提供する。【解決手段】支柱をしっかりと挟み込んで掴む、C形挟着片を有する支持具本体１と、茎  蔓などを包むように回し止める支持バンド２を、支持バンド通し穴３に通して誘引する、支持バンドを一体物として形成した。【選択図】図１−ａ
2005341920.tif 000002
【特許請求の範囲】
【請求項１】
花、植物、園芸野菜の付傍に立設される支柱に挟着させて取り付けることの出来る断面形状C形挟着片を有する支持具本体と、この支持具本体の一側面に、柔軟性を有するバンドと、一側面に対向する側面にバンド通しを有する、花、植物、園芸野菜の茎や蔓などの支持具。
【請求項２】
前記柔軟性を有するバンドが前記断面形状C形挟着片を有する支持具本と一体又は、前記支持具本体に脱着可能とした請求項1記載の花、植物、園芸野菜の茎や蔓等の支持具。
【発明の詳細な説明】
【技術分野】
【０００１】
この考案は、花、植物、園芸野菜の茎蔓などを簡単に誘引支持することの出来る支持具である。
【背景技術】
【０００２】
従来は、花、植物、園芸野菜の茎蔓などを支柱に誘引支持するにあっては
ビニール被覆の針金や、麻、ビニール紐、色んな種類の紐等を使用している
のが普通である。又、現在実用新案の中に似たような物が開示されている。
（特許文献  1参照）
【特許文献１】実開平7−39374号  公報
【発明の開示】
【発明が解決しようとする課題】
【０００３】
実開平7−39374号  公報にあっては、次のような欠点があった。
この実用新案の欠点は茎の通る部分、支持する部分の調整が出来ない。
挟着片に挟まる支柱の大きさによって先端の支持片の大きさも決まってしまう。
茎、蔓、の大きい小さい物、きつく、ゆるく等自在に支持調整が出来ない
【０００４】
特許文献1に示された支持具等を用いない従来の方法では
ビニール被覆の針金をまず支柱に固定する為、絡ませる必要があり支柱から滑り落ちないように絡ませる為には、ビニール被覆の針金を支柱に回し強くねじって止めるのであるが、かなりの指先の力が必要で簡単には止まらず滑り落ちる事があった。
次に紐で支柱に固定するにも強く結ぶと茎や蔓に負担が掛かり、ゆるく結ぶとズレ落ちる事があった。
ビニール被覆、紐、で茎、蔓を支柱に誘引するのであるが、力加減によっては折ったり傷つけたり、細心の注意を必要とした。
【課題を解決するための手段】
【０００５】
本発明は、花、植物、園芸野菜の付傍に立設される支柱に挟着させて取り付けることの出来るC形挟着片を有する支持具本体と、この支持具本体の一側面に、柔軟性を有するバンドと、一側面に対向する側面にバンド通しを有する、花、植物、園芸野菜の茎や蔓などの支持具である。
なお、前記柔軟性を有するバンドは、支持具本体に一体的に形成されていても良く、脱着可能としても良い。
【発明の効果】
【０００６】
ビニール被覆針金での、ねじる動作がない為、指のいたさ（負担）が解消された。
紐で、むすぶ、はさみ、ナイフで切断する等の作業が回避できる。              茎、蔓を支柱に誘引する力加減も気にする事もなくなり、茎、蔓を損傷する事も解消された。
支持しようとする、茎、蔓の大小に関わらず、自在に支持でき、きつく、ゆるく、等の支持調整も簡単に短時間で出来る。
【発明を実施するための最良の形態】
【０００７】
以下、図面の示す実施例により、本発明について説明する。
図1-aは、本発明の実施例になる支持具の斜視図であり、図１-bは挟着片の断面図を示している。1支持具挟本体で、断面形状C形挟着片を有しており、その支持具本体の一側面に支持バンド2と、支持具本体の一側面に対向する側面に設けたバンド通し穴3を有すし、常時挟着状態に付勢するように、弾力、柔軟性のある材質で合成樹脂や薄い金属片等を用いる事出来る。
又、断面形状C形挟着片の内径Aはφ30mm〜φ6mm位までの挟着可能な種類となっている。
【０００８】
図2は本発明の支持バンドの実施例を示している。
この支持バンド2は、茎蔓等を誘引支持する為に用いられ、バンド2の両面に複数の掛かり止め突起7が形成されている。又、柔軟性を有するバンドが前記断面形状C形挟着片を有する支持具本と一体型、又は、前記支持具本体に脱着可能であり、図2-a,2-bで示すように支持バンド穴8を断面形状C形挟着片、右側面に突起状突き出た部分9に挿入、取り付け、取り外しが出来る様になっている。さらに柔軟性を有する支持バンド２の掛かり止めの形状も、図2-Ｃに示す様に丸い山形10、又は、三角山形11、又は、複数の球体が一本の紐で繋がれた形状12でもある。
【０００９】
そして、本発明の支持バンド2は図5に示すように
さらにバンド通し3、のバンド掛け穴6、にバンドの谷部B、を挿入掛けることによって、支持バンド2、は固定され、且つ植物の、茎蔓5aは支持される。
【００１０】
図3の本発明の実施例になる支持具の使用方法を示しており
上記構成の花、植物、園芸野菜の茎蔓等の支持具本体1を、土壌に植えられた植物の近傍に立設した支柱4に支持具の狭着片をあてがい背面より指で押し込み、指をはなすと支柱4に、支持具本体1、はしっかりと掴み挟着される。
【００１１】
図4 の実施例で示すように
支持バンド2で、植物5の、茎蔓5aを包み込む様に回し、バンド通し3に支持バンド2を通す、
【００１２】
支持しようとする、茎、蔓の大小に関わらず、自在に支持でき、又、きつく、ゆるく、等の支持調整については、図3や図4図5で示すごとく支持バンド2、の両面に複数の掛かり止め突起7を、バンド通し3に、長く、短く、通す事により調整できる。
【図面の簡単な説明】
【００１３】
【図１−ａ】実施例となる支持具斜視図
【図１−ｂ】支持具本体の断面図
【図２−ａ】実施例の支持バンド詳細図
【図２−ｂ】実施例の支持具本体の断面図
【図２−ｃ】実施例の支持バンド詳細図
【図３】実施例の支持具装着図
【図４】実施例の使用状態図
【図５】実施例のバンド通し、バンド掛け部分詳細図
【符号の説明】
【００１４】
1  支持具本体
2  支持バンド
3  支持バンド通し穴
4  支柱
5  植物
5a  植物の蔓茎
6  バンド掛け穴
7  バンド係り止め突起
8  バンド脱着穴
9  バンド脱着突起
【図１−ａ】
2005341920.tif 000003
【図１−ｂ】
2005341920.tif 000004
【図２−ａ】
2005341920.tif 000005
【図２−ｂ】
2005341920.tif 000006
【図２−ｃ】
2005341920.tif 000007
【図３】
2005341920.tif 000008
【図４】
2005341920.tif 000009
【図５】
2005341920.tif 000010
(57)【要約】【課題】本発明は、家電等で重量のある機材を状況に合わせて、固定させたり、移動させやすくしたりする脚を提供するものである。【解決手段】脚部に滑りやすい面と滑りにくい面をもたせ、リバースさせることにより、状況にあった面を設置面に接せせしめることが可能になる。これにより、機材の安定と移動の環境を容易に提供できるようになる。【選択図】図１
2005341513.tif 000002
【特許請求の範囲】
【請求項１】
イ）部材片の一面にスベリ手段を有し、他面にスベリ防止手段を有する。
ロ）機材底面への固定手段を有する。
ハ）反転可能であり、性質の異なる面を選択的に設置面に接することができる。
以上のごとく構成された脚。
【請求項２】
イ）部材片の一面にスベリ手段を有し、他面にスベリ防止手段を有する。
ロ）機材底面への固定手段を有する。
ハ）反転可能であり、性質の異なる面を選択的に設置面に接することができる。
ニ）スベリ手段が設置面と接している場合は、（ロ）における固定手段が無効になる。
以上のごとく構成された脚。
【発明の詳細な説明】
【技術分野】
【００１】本発明は、機材の移動環境を目的合わせてフィレキシブルに提供する脚についてである。
【背景技術】
【００２】テレビ等の重量家電機器を考えた場合、一般的にゴム部材が使用されているが、この場合、安定性は確保されされているものの、同時に移動が必要時に、作業が非常に困難になる。
【発明の開示】
【発明が解決しようとする課題】
【００３】脚に滑りやすい特性と滑りにくい特性を持たせ、それぞれを目的に応じて選択的に利用させようとするものである。
【課題を解決するための手段】
【００４】基本となる部材の一面に滑りやすい機能を持たせ、もう一面に滑りにくい機能を持たせ、必要時にその目的にあった機能の面を設置面に接させることができるようにする。
【発明の効果】
【００５】テレビ等の重量家電を移動させる時の肉体的ストレスを軽減でき、無理矢理ひきずって移動させる時の脚部への負担並びに破損を防げる。
【発明を実施するための最良の形態】
【００６】脚に滑りやすい面と滑りにくい面をもつ手段をもたせ、それぞれを状況に合わせて選択できるような仕組みを対象となる家電等にもたせる。
【実施例】
【００７】イ）基礎となる部材（４）の内部にナット（５）を設けた状態で形成する。
ロ）基礎となる部材（４）の一面にゴム系の滑りにくい部材（６）を接着し、他面にプラスチック系の滑りやすい部材（３）を接着する。
ハ）機材筐体（１）の底面にボルト（２）を設ける。
以上のような構成で、機材を移動する時は（３）を下にし、安定させる時は（６）を下にし、機材筐体底面のボルト（２）に取り付ける。【００８】なお、図３のように滑り安い素材（３）が下にきている時に、ナットがボルトに届かない位置にあるようにすると、一時的な移動の為にいちいちナットを締めたり緩めたりする手間が省ける。
【図面の簡単な説明】
【００９】
【図１】機材本体と本発明を横から見た図である。
【図２】本発明を上から見た図である。
【図３】機材底面のボルトにナットが届かないように、ナットの位置を中心からずらした、移動を目的とした時を横から見た図である。
【図１】
2005341513.tif 000003
【図２】
2005341513.tif 000004
【図３】
2005341513.tif 000005
(57)【要約】【目的】  複数の機器に電源を供給する電源タップにおいて、機器のコンセントを差し込んだ後に余った各機器の電源ケーブルを収納できるようにする。【構成】  筐体の側面に、余分な電源ケーブルを収納ための穴を設けた事を特徴とする電源タップ【選択図】  図１
2005100907.tif 000002
【特許請求の範囲】
【請求項１】
筐体の側面に、余分な電源ケーブルを収納するための穴を設けた電源タップ
【発明の詳細な説明】
【技術分野】
【０００１】      本発明は、電源タップに差し込んだ後に余った電源ケーブル等を筐体内に収納できるようにした電源タップに関するものである。
【背景技術】
【０００２】      例えば机の下に置いた従来の電源タップに各種電源ケーブル先端のコネクターを差し込むと、各機器のケーブルの長さの違い等から、電源ケーブルが余ってしまい、それが邪魔になったり、美観を損ねるという不都合があった。
【発明の開示】
【発明が解決しようとする課題】
【０００３】      本発明は上記の点に鑑みてなされたもので、上記問題点を除去し、コネクターを差し込んだ後に余った電源ケーブルを、筐体内に収納する事ができる電源タップを提供する事を目的とする。
【課題を解決するための手段】
【０００４】      上に記載の課題を解決するため、請求項１に記載したように、電源タップの筐体の側面に、余分な電源ケーブルを収納ための穴を設ける。
【発明の効果】
【０００５】      このようにすれば、電源コンセントを差し込んだ後に余った電源ケーブルを、束にして、筐体側面の穴に挿入し、容易に収納する事ができる。また、この時、束になったケーブルが穴内部で広がろうし、筐体穴面とケーブル束の間に必要十分な摩擦が発生するので、これを固定する事ができる。また、フック等を使用しないため、ケーブルの収納、取り出しが容易であり、さらに、余ったケーブルが長い時は束を大きく、短い時は束をする事で、ケーブルの折り曲げた時の反発力を筐体穴に収まるように調節できるので、余ったケーブルの長さを問わずにこれを収納、固定する事ができる。
【発明を実施するための最良の形態】
【０００６】    以下、本発明の実施の形態を図面に基づいて説明する。図１は本発明装置の斜視図である。図２は側面から見た図である。図３は機器からの電源ケーブルを本発明装置に差し込んだ図である。図４は余分な電源ケーブルを収納する例の図である。【０００７】    本発明は図示するように、例えば樹脂一体成形にて筐体１を製作し、筐体の側面に筐体を貫通する、余った電源ケーブルを束にしたものを挿入できる大きさの楕円形の穴３を複数設けるものとする。【０００８】    本発明は上記のように構成するので、筐体１に取り付けられた電源用アウトレット２に各機器からの電源コンセント４を差し込み、そのケーブルの余った部分をまとめて、束６にし、これを筐体１に設けられた貫通穴３の中に挿入することにより、電源ケーブルの余った部分を収納する事ができる。【０００９】    上述した構成において、筐体１は樹脂一体成形したものの他に、金属やその他の材料でも、同様の形状を実現したもので代替する事が可能である。【００１０】      上述した構成において、筐体１を一体とせず、複数の部品に分け、これらを組み合わせ上記構成で述べたものと同様の形状にする事で、代替が可能である。【００１１】      上述した構成において、穴３の断面の形状は楕円形以外にも、円や四角形、また、その他の形状のものでも、代替が可能である。【００１２】      上述した構成において、穴３は貫通していなくても、ケーブルを収納するための十分な深さがあれば、これに代替する事が可能である。【００１３】      上述した構成において、穴３は複数でなく、サイズを大きくした単数のものでも代替することが可能である。
【図面の簡単な説明】
【００１４】
【図１】    本発明装置の斜視図である。
【図２】    本発明装置の側面図である。
【図３】    本発明装置に機器からの電源コンセントを差し込み、そのあまりの電源ケーブルをまとめて、束にした図である。
【図４】    本発明装置に機器からの電源コンセントを差し込み、そのあまりの電源ケーブルをまとめて束にしたものを、筐体側面に設けた穴の中に収納した図である。
【符号の説明】
【００１５】    １  電源タップ筐体
２  電源差し込み口
３  ケーブル収納穴
４  機器のコンセント
５  機器の電源ケーブル
６  電源ケーブルの余った部分
【図１】
2005100907.tif 000003
【図２】
2005100907.tif 000004
【図３】
2005100907.tif 000005
【図４】
2005100907.tif 000006
(57)【要約】【課題】  暗闇の中などで地震などが起こった時、自動的に明りが点灯するようにしたコンセント【解決手段】  平常時はスイッチとなる鉄の丸棒はコンセントの中心に垂れ下がって静止安定していて通電しないが、地震などで振動すると、振り子の様に揺れ動いて外周にある円形の金属端子に接触して通電し明りが点灯する。  円形の金属端子の外側には、永久磁石が取り付けてあるので、振動中でもスイッチの外れることは無い。【選択図】            図１
2005100912.tif 000002
【特許請求の範囲】
【請求項１】
中空のコンセントの中心に鉄の丸棒を下げ、地震などで揺れ動いた時、振り子の様に揺れて、外周にある円形の金属端子に接触して通電するようにする。
円形の金属端子の外周に強力な永久磁石を取り付け、鉄の丸棒が金属端子に密着して振動中でも外れることのない様にする。
【発明の詳細な説明】
【技術分野】
【０００１】  本発明は、地震などで家屋が振動した時などに、自動的に電灯が点灯するようにしたものである。
【背景技術】
【０００２】  従来、振動などによって自動的に点灯するコンセントは無かった。
【発明の開示】
【発明が解決しようとする課題】
【０００３】  その為に、次のような問題点があった。
真夜中などの暗闇の中で発生した地震などの災害時には、何も見えないので右も左も解らず危険物の判断も出来ないまま、気も動転してしまって、素早い避難も出来ずに大きな被害を受ける。
本発明は、この問題点を解決するためになされたものである。
【課題を解決する為の手段】
【０００４】  コンセントの中を中空にして、その中心にスイッチとなる鉄の丸棒を釣り下げ、振動によってこの鉄の丸棒が、振り子の様に揺れ動いて、外周にある円形の金属端子に接触して通電する。
【発明の効果】
【０００５】  地震などで家屋が揺れ動いた時、何もしなくても自動的に照明が点いて、屋内を明るくするので、きわめて安心である。
【発明を実施するための最良の形態】
【０００６】  以下、本発明の実施について説明する。
平常時はスイッチとなる鉄の丸棒（Ｆ）は、中央に垂れ下がって静止安定して通電しな  いが、地震などで揺れると、（Ｆ）は振り子の様に揺れ動いて外周にある円形の金属端  子（Ｄ）と（Ｅ）とに接触して通電し点灯する。
【実施例１】
【０００７】  断面図に示すように、スイッチとなる鉄の丸棒（Ｆ）は、平常時は中央に垂れ下がって通電しないが、地震などで振動すると振り子の様に揺れ動いて、外周にある金属端子（Ｄ）と（Ｅ）とに接触して通電し点灯する。
（Ｄ）と（Ｅ）との外側は永久磁石（Ｈ）で取り巻いてあるので、鉄の丸棒（Ｆ）は金属端子に密着して安定し振動中でもスイッチの切れる心配は無い。
消灯する時は鉄の丸棒（Ｆ）の下に取り付けてある紐と撮み（Ｇ）を撮んで（Ｆ）を中央に戻す。
点灯する時は（Ｇ）を撮んで横に動かし（Ｆ）を（Ｄ）と（Ｅ）とに接触させる。
【図面の簡単な説明】
【０００８】
【図１】    本発明の正面図
【図２】    本発明の上面図
【図３】    本発明の断面図
【符合の説明】
【０００９】      Ａ  電源コンセントへの差し込み口
Ｂ  電灯プラグなどの差し込み口
Ｃ  （Ａ）と（Ｂ）との一極を繋ぐ電線
Ｄ  （Ａ）の一極と繋った円形の金属端子
Ｅ  （Ｂ）の一極と繋った円形の金属端子
Ｆ  スイッチとなる鉄の丸棒
Ｇ  鉄の丸棒（Ｆ）の下についた紐と撮み
Ｈ  （Ｄ）と（Ｅ）との外側に着けた永久磁石
【図１】
2005100912.tif 000003
【図２】
2005100912.tif 000004
【図３】
2005100912.tif 000005
(57)【要約】【課題】従来のコンピューター入力マウスは、掌、指を使用して操作する為、小型・軽量化することができなかった。  【解決手段】  このコンピューター入力マウスは人差指と中指で掴むことができる突起部を設けたことを特徴とした指先だけで扱える小型・軽量化した形状にする。  【選択図】図１
2005100076.tif 000002
【特許請求の範囲】
【請求項１】
人差指と中指で掴むことができる突起部を設けたことを特徴とした指先だけで扱える小型・軽量・操作性の良好な形状のコンピューター入力マウス。
【発明の詳細な説明】
【技術分野】
【０００１】
この発明は、コンピューター入力マウスの形状・操作性に関する。
【背景技術】
【０００２】
従来のコンピューター入力マウスは、掌全体でマウスを覆い親指・薬指・小指で掴み、人差指・中指でマウスボタンをクリックし入力指示を与えるマウス形状である（例えば、特許文献１参照。）。
【特許文献１】特開２００１−２２２３７４号公報
【発明の開示】
【発明が解決しようとする課題】
【０００３】
しかしながら、以上の従来技術によれば、マウス形状の小型化に限界がある。そこで、この発明はマウスを指２本（人差指・中指）で操作可能とする形状にしたことにより、従来マウスより小型・軽量・操作性の良いコンピューター入力マウスを提供することを課題とする。
【課題を解決するための手段】
【０００４】
以上の課題を解決するために、請求項１の発明は、人差指と中指で掴むことができる突起部を設けたことを特徴とした指先だけで扱える小型・軽量・操作性の良好な形状のコンピューター入力マウスである。
【発明の効果】
【０００５】
以上説明したように、この発明によれば、小型軽量化でき携帯性が増すことと、コンピューターへ入力指示する際に従来マウスの操作面積より狭い面積で軽快に操作でき入力指示ができる。またマウスと接触する部分が指先だけなので、従来マウスのように掌がマウスと接触して汗ばむこともなく長時間使用しても爽快である。
【発明を実施するための最良の形態】
【０００６】
この発明の一実施形態を、図１に示す。マウス本体の形状は、従来マウスとは違い指先で使用できる小型形状となっている。マウス本体には、中指でコントロールする右ボタン1と、中指または人差指でコントロールするスクロールホイールボタン２と、人差指でコントロールする左ボタン４が配置されている。このマウスの特徴として右ボタン１と左ボタン４の間に人差指と中指で掴むことができる突起３があることによりマウス本体を掴み上げて自由に移動することができる。また掴み上げることが、容易にできるように、掴む面はゴム製などの滑らない材質５とする。
【実施例】
【０００７】
図１は本発明の人差指と中指で掴むことができる突起部を設けたことを特徴とした指先だけで扱える小型・軽量・操作性の良好な形状のコンピューター入力マウスである。
【図面の簡単な説明】
【０００８】
【図１】この発明の一実施形態を示す斜視図である。（実施例１）
【図２】この発明の一実施形態を示す斜視図である。（実施例２）
【符号の説明】
【０００９】
１  右ボタン
２  スクロールホィールボタン
３  人差指と中指で掴んでマウス移動できる突起物
４  左ボタン
５  ゴム製などの滑らない材質
６  接続コード
【図１】
2005100076.tif 000003
【図２】
2005100076.tif 000004
(57)【要約】【課題】本発明は、取り付け取り外しの手間がない安全性も高い回路遮断器２の端子部４を被覆する端子カバー１を提供することを目的としている。【解決手段】本発明に係る端子カバー１は、巻き取り可能な形状で構成すると共に、回路遮断器２の操作ハンドル３の動作に連動し、操作ハンドル３がＯＦＦ状態のときにのみ回路遮断器２のケース内部に収納可能であることを特徴とし、取り付け取り外しの手間を省き作業性の良い回路遮断器を提供する。【選択図】図１
2005100678.tif 000002
【特許請求の範囲】
【請求項１】
操作ハンドルをＯＮ、ＯＦＦの位置に動作させることで回路を遮断する回路遮断器の、端子部を被覆するための端子カバーであって、巻き取り可能な形状で構成すると共に、前記回路遮断器の操作ハンドルの動作に連動し、前記操作ハンドルがＯＦＦ状態のときにのみ前記回路遮断器のケース内部に収納可能であることを特徴とする端子カバー。
【発明の詳細な説明】
【技術分野】
【０００１】
本発明は、操作ハンドルをＯＮ、ＯＦＦの位置に動作させることで回路を遮断する回路遮断器の、端子部を被覆するための端子カバーに関するものである。
【背景技術】
【０００２】
従来、図３〜図４に示すように、回路遮断器２１の端子部２２を被覆するための端子カバー２３は、回路遮断器２１とは別部品で回路遮断器２１の端子部２２に係止させるか、製造工程上で端子カバー２３を取り付け端子部２２を被覆していた。端子部２２の端子ネジを増し締めするときには、端子カバー２３を外していた。
【特許文献１】特開２００２−８５０９号公報
【発明の開示】
【発明が解決しようとする課題】
【０００３】
しかしながら、上記従来技術において、端子カバー２３が別部品であるので、取り付け、取り外しの作業に時間と手間がかかってしまうという欠点があった。また、端子カバー２３を外したとき、小さな部品であるため紛失の虞があった。回路遮断器２１が通電中であっても端子カバー２３は取り外すことができるので、誤って人が触れ感電事故を引き起こす虞があった。それから、非常用の回路等、遮断してはいけない回路では、操作ハンドルにハンドルロックを取り付け、操作ハンドルを操作できないようにして誤って遮断しないようにしていた。
【課題を解決するための手段】
【０００４】
そこで本発明は、取り付け取り外しの手間がない安全性も高い端子カバーを提供することを目的とし、その構造は、巻き取り可能な形状で構成すると共に、回路遮断器の操作ハンドルの動作に連動し、操作ハンドルがＯＦＦ状態のときにのみ回路遮断器のケース内部に収納可能であることを特徴とする。
【発明の効果】
【０００５】
本発明の端子カバーは、回路遮断器に内蔵されているため、取り付け取り外しの手間を省くことができ、紛失の虞もない。回路遮断器の操作ハンドルをＯＦＦの状態にしたときに端子カバーが開く構造になっているため、端子ネジの増し締めの際にもわざわざ端子カバーを取り外す必要がない。一方、操作ハンドルがＯＮ状態では、端子カバーは常に閉じた状態であるため、誤って触れてしまうことがなく安全である。また、端子カバーの取り付けのための端子部の構造が簡略化でき、その部分においては製造費用が低減できる。その他、端子カバーが回路遮断器の操作ハンドルと連動するため、端子カバーに封印機構を付加すれば、操作ハンドルの動作を規制できるため、ハンドルロックの必要がなくなる。
【発明を実施するための最良の形態】
【０００６】
端子部を被覆し、必要なときにのみ安全に端子部を開放するという目的を、簡単な構造で作業効率も向上させて実現した。
【実施例１】
【０００７】
本発明に係る端子カバーを図１〜図２の添付図面に基づいて説明する。
【０００８】
本発明の端子カバー１は、巻き取り可能に形成する。例えば、シャッターのように細かく折りたためるような形状とする。端子カバー１の一端を回路遮断器２の操作ハンドル３の根元に取り付け、操作ハンドル３の動作に連動して動くようにする。
【０００９】
回路遮断器２の端子部４近傍には端子カバー１を出入れする挿通孔５を設け、端子カバー１は回路遮断器２のケース６に内蔵する。操作ハンドル３がＯＮの状態にある場合、端子カバー１は端子部４を被覆した状態であり、操作ハンドル３をＯＦＦの位置に持っていくと、操作ハンドル３の動作に連動して端子カバー１はケース６の中に引き込まれ、端子部４を開放する。
【００１０】
端子カバー１ははじめにケース６に内蔵しておくので、端子カバー１を取り付けるという細かい作業が必要なくなると共に、紛失の虞がなくなる。
【産業上の利用可能性】
【００１１】
端子カバーを回路遮断器のケースに内蔵し、操作ハンドルがＯＮ状態で回路遮断器が通電の状態である場合には、端子カバーは閉じたままであるので、誤って通電中の端子部に触れてしまうようなことがなく、安全性も高めることができる。
【図面の簡単な説明】
【００１２】
【図１】回路遮断器の操作ハンドルがＯＦＦの位置にある状態を示した断面図である。（実施例１）
【図２】回路遮断器の操作ハンドルがＯＮの位置にある状態を示した断面図である。（実施例１）
【図３】従来技術における回路遮断器の端子カバーを示した正面図である。
【図４】従来技術における回路遮断器の端子カバーを示した斜視図である。
【符号の説明】
【００１３】
１    端子カバー
２    回路遮断器
３    操作ハンドル
４    端子部
５    挿通孔
６    ケース
【図１】
2005100678.tif 000003
【図２】
2005100678.tif 000004
【図３】
2005100678.tif 000005
【図４】
2005100678.tif 000006
(57)【要約】【課題】信号切り換え器において、出力側のＥＤＩＤデータを入力側で共有することにより、常に安定した映像信号を切り換える。【解決手段】切り替え器２０のＣＰＵ２３はディスプレイ１０のＥＤＩＤデータを不揮発性メモリー２１、２２に記録する。コンピュータ３０、３１はＥＤＩＤデータをそれぞれ不揮発性メモリー２１、２２より取得することにより、切り替え器２０が仮想のディスプレイ１０としてデータを共有することができる。【選択図】図２
2005100241.tif 000002
【特許請求の範囲】
【請求項１】
ディスプレイ情報を備えるディスプレイよりディスプレイ情報を読み出し、その情報を複数のメモリーに保存することにより、複数台の外部コンピュータが情報を共有できることを特長とした切り替え装置。
【請求項２】
前記１のディスプレイ情報が、ＥＤＩＤ（Extended Display Indentification Data）である切り替え装置。
【請求項３】
前記１のメモリーとして不揮発性メモリーを使用することにより、ディスプレイの電源が未投入時にでもディスプレイ情報を読み出すことが可能となる切り替え装置。
【発明の詳細な説明】
【技術分野】
【０００１】
本発明は、ＥＤＩＤを共有することにより、複数台の外部コンピュータが安定して動作することを可能とした切り替え器に関するものである。
【背景技術】
【０００２】
ディスプレイの解像度等の詳細な機器情報をＥＤＩＤという。ＥＤＩＤはディスプレイの情報を接続されているコンピュータに伝える手段として実用化されている。このことにより、ホストとなるコンピュータがディスプレイの表示可能な解像度等を認識し、ディスプレイに最適な出力を行うことが可能である。
【０００３】
従来、切り替え器は、接点による切り替えが一般的であり、選択されていないホスト側コンピュータはディスプレイと接続されてなく、ディスプレイの情報を共有することができていなかった。
【０００４】
【特許文献１】特開平１１−１２６１１９
【発明の開示】
【発明が解決しようとする課題】
【０００５】
選択されていないコンピュータがＥＤＩＤデータを取得していないため、安定した出力が得られていない点である。
【課題を解決するための手段】
【０００６】
本発明による切り替え器は、ディスプレイのＥＤＩＤデータを読み込み、それぞれの接続コンピュータ毎に不揮発性メモリーへ同様の情報を保存し、接続するコンピュータ全てに、同様の情報を与えることにより、擬似的なディスプレイとなる。
【０００７】
このことにより、切り替え器にて選択されていないコンピュータにディスプレイと同様の情報が共有でき、接続されていないコンピュータにも安定した出力が得られる。
【発明の効果】
【０００８】
以上に説明したように、切り替え器にて選択されていないコンピュータも、擬似的なディスプレイ接続を行っているため、選択されているコンピュータと同等な安定した出力が得られる。
【発明を実施するための最良の形態】
【０００９】
ＤＶＩ（Digital Video Interface）等ＥＤＩＤが付加されている切り替え器にて、選択されていないコンピュータも安定した出力が得られているため、入力を切り換える場合にも安定した切り替えを実現した。
【実施例】
【００１０】
図１は本発明を実施するための切り替え器のブロック図の一つである。
【００１１】
切り替え器２０は、接続される各コンピュータへのＥＤＩＤデータ等を格納する不揮発性メモリー２１、２２、ディスプレイ側のＥＤＩＤデータの取得や保存といった総合的に制御するＣＰＵ２３を含む構成となっている。
【００１２】
図２は本発明の切り替え器２０へ、ディスプレイ１０、コンピュータ３０、３１を接続した場合の構成と動作を示す図である。
【００１３】
ディスプレイ１０内のＥＤＩＤデータ１１を、ＣＰＵ２３にて取得する。
【００１４】
取得した情報を、不揮発性メモリー２１と不揮発性メモリー２２へ同等の情報を格納する。
【００１５】
コンピュータ３０より情報の取得があった場合には、不揮発性メモリー２１の情報を、同様に、コンピュータ４０より情報の取得があった場合には、不揮発性メモリー２２の情報を提供する。
【００１６】
これにより、コンピュータ３０及びコンピュータ４０は、切り替え器２０が擬似的なディスプレイ１０としてＥＤＩＤを共有することが可能となり、安定した映像出力が得られる。
【図面の簡単な説明】
【００１７】
【図１】本発明の機能を有するブロック図である。
【図２】図１にディスプレイ及びコンピュータを接続した場合の構成図である。
【符号の説明】
【００１８】
１０  ディスプレイ
１１  ＥＤＩＤデータ
２０  切り替え器
２１、２２  不揮発性メモリー
２３  ＣＰＵ
３０、４０  コンピュータ
【図１】
2005100241.tif 000003
【図２】
2005100241.tif 000004
(57)【要約】【課題】従来、３次元形状の切削加工は３軸以上の制御を行う数値制御工作機械を必用としていたが、被削物の回転と縦送りを連動させる事により２軸制御で実現する事を可能とした。【解決手段】被削物（１）は被削物回転軸（２）に固定され回転する。この回転に減速機（４）を介し連動し縦送りされる回転工具（１２）は螺旋状に被削物を切削するが、横送り軸（８）の動きが組み合わされることによって任意形状曲面を切削できる。この被削物回転軸の回転と横送りの２軸すなわち被削物回転モーター（３）と横送りモーター（７）の２つを数値制御することにより３次元の任意形状物を加工する事ができる。【選択図】図１
2005100472.tif 000002
【特許請求の範囲】
【請求項１】
３次元曲面を等間隔の螺旋状に２次元展開したデータから、被削物回転軸と工具横送り軸の２軸のみをを数値制御し３次元形状物体を加工する方法。
【請求項２】
上記の加工を実現するために被削物の回転軸と縦送り軸を変速機を介し同期させた数値制御工作機械。
【発明の詳細な説明】
【技術分野】
【０００１】  この発明は数値制御工作機械の２軸制御による３次元加工法と加工機械に関するものである。
【技術背景】
【０００２】  従来の２軸数値制御工作機械では断面形状が一定の２次元加工であり、断面形状が不定形である３次元曲面を切削することができなかった。
なお本発明は３軸以上の制御が必要である従来の発明と２軸制御でこれを実現したという点で大きく異なる。
以下は従来の発明である。
【特許文献１】特許公開平６−１１０５２３号
【特許文献２】特許公開平７−５１９８９号
【特許文献３】特許公開平９−４７９３９号
【発明の開示】
【発明が解決しようとする課題】
【０００３】  ３次元曲面を加工するためには３軸以上の制御が必用であったため複雑な機械を必用としていた。またその制御には３軸を同時に制御できる複雑なＮＣデータを必要とし、データ作成のために専用のソフトウエア（ＣＡＭ）を必用としていた。
本発明は２軸のみを制御するだけで３次元曲面を加工できる加工法及び加工機械である。
【課題を解決するための手段】
【０００４】  ３次元曲面を等間隔の螺旋状に展開したデータにて被削物回転モーター（３）と横送りモーター（７）を制御する。被削物（１）の回転は変速機（４）を介し縦送り軸（５）へ伝達される事によって被削物の回転と縦送り移動は連動している。  縦送り台（６）上には横送り台（９）またその上に工具軸（１０）が取付けてあり工具軸には回転工具（１２）が取付けられる。
以上の構成にて被削物回転と横送りの２軸を制御する事で工具先端に螺旋状の動きが再現され３次元形状が形成される。（図３）また縦送りは変速機で送り速度を変化できるので回転毎の送り距離（螺旋の間隔）を調整できる加工機械である。
【発明の効果】
【０００５】  発明は以上のような構造で被削物回転軸（２）と横送り軸（８）の２軸を数値制御することにより複雑な曲面形状を加工する事が可能になった。３軸以上の工作機械に対して機械構造が簡単なだけでなく制御プログラムも単純化でき制御装置の演算負荷も軽減される。
【発明を実施するための最良の形態】
【０００６】  以下、本案の実施の形態について説明する。
被削物（１）が固定された被削物回転軸（２）は被削物回転モーター（３）で駆動される。
被削物の回転は変速機（４）を介して縦送り軸（５）と連動している。縦送り台（６）は縦送り軸のねじによって移動される。
縦送り台上に横送り台（９）があり横送りモータ（７）で横送り軸（８）のねじを駆動し横送り台を移動させる。
横送り台上に回転工具（１２）が取付けられた工具軸（１０）があり回転工具を工具軸モーター（１１）で駆動する。
数値制御装置は被削物回転モーター（３）と横送りモーター（７）の二つを制御し被削物の回転と工具の横移動の組み合わせで２次元の軌跡を描く。そこに縦送りが加わる事によって螺旋状に工具が移動し３次元形状の曲面軌跡を描き出すころができる。
変速機により主軸回転毎の縦送り距離を変化させることが可能で、被削物表面の仕上がり荒さを設定できる。
なお被削物回転軸、縦送り軸間の変速機は機械式のほかに電気的に変速した信号にて制御されるモーターを縦送り軸に取付ける方法が考えられる。
【産業上の利用可能性】
【図面の簡単な説明】
【０００７】
【図１】本発明の平面図である
【図２】本発明の右側面図である。
【図３】本発明の概念図である。
【符号の説明】
【０００８】１  被削物    ２  被削物回転軸    ３  被削物回転モーター    ４  変速機
５  縦送り軸    ６  縦送り台    ７  横送りモーター    ８  横送り軸
９  横送り台    １０  工具軸    １１  工具軸モーター    １２  回転工具
１３  伝達ベルト
【図１】
2005100472.tif 000003
【図２】
2005100472.tif 000004
【図３】
2005100472.tif 000005